(57)【要約】      （修正有）【課題】ダブルクリップの開閉を容易にし、ダブルクリップで挟んである紙葉類が捲られたときに開閉レバーと紙葉類とが当たる箇所で盛り上がってしまうことを防止する。【解決手段】紙葉類を挟むはさみ口２ｍを有するクリップ本体２と、はさみ口２ｍをてこの原理で開く一対の開閉レバー３とを備えるダブルクリップ１である。クリップ本体２は、一対の開閉レバー３が、てことして使用された場合に支点となる当接箇所に溝２１が形成され、溝２１に一対の開閉レバー３がそれぞれ収められると共に、前記一対の開閉レバー３は、当接箇所で相互に近づく方向に折り曲げられている。【選択図】図１
2010100026.tif 000002
【特許請求の範囲】
【請求項１】
二辺とその挟角を含む横断面を有し、前記挟角の側に紙葉類を挟むはさみ口が形成されているダブルクリップ本体と、
このダブルクリップ本体の反はさみ口側に延存しかつ前記はさみ口をてこの原理で開くための対向する一対の開閉レバーと、を備え、
前記一対の開閉レバーの一方を他方に対して近づけるように、または相互の開閉レバーを近づけるように外力が加えられると、前記てこの原理により前記はさみ口が開き、そのときに前記ダブルクリップ本体に前記紙葉類を挟む挟み力として弾撥力を生じるダブルクリップであって、
前記一対の開閉レバーの少なくとも一の開閉レバーは、ダブルクリップ本体の反はさみ口側に延存している部分が内側に折り曲げられ、当該折り曲げられた開閉レバーは、前記折り曲げられた箇所から先までの部分が、他の開閉レバーに対して平行に又は収束されているダブルクリップ。
【請求項２】
前記ダブルクリップ本体は、前記開閉レバーが一体に形成され、前記一対の開閉レバー同士の間には、前記外力が加えられると、前記弾撥力を生じる弾撥部を有する請求項１に記載のダブルクリップ。
【請求項３】
外力が加わると弾性により反発する材料からなりかつ三角形状の横断面を有し、その頂角にあたる側に紙葉類を挟むはさみ口を備えるダブルクリップ本体と、
このダブルクリップ本体の前記はさみ口側において一端が回転自在に支持され他端が自由で、かつ前記他端が反はさみ口側に回転されて位置すると、その状態で他端側が反はさみ口側に延存し、前記はさみ口をてこの原理で開くために対向する一対の開閉レバーと、を備え、
前記一対の開閉レバーが前記反はさみ口側にある状態において、当該一対の開閉レバーの少なくとも一方を他方に対して近づけるように、または相互の開閉レバーを近づけるように外力が加えられると、前記てこの原理により前記はさみ口が開き、そのときに前記頂角に対向する辺である前記三角形状の横断面の底辺を含む面であるダブルクリップ本体の底面が、前記一対の開閉レバーの加圧により挟持された状態で押圧されて反力を生じ、当該反力が前記ダブルクリップ本体に前記紙葉類を挟む挟み力として前記底面の弾性により生じるダブルクリップであって、
前記一対の開閉レバーが回転されることにより反はさみ口側に位置する状態において、前記一対の開閉レバーは、ダブルクリップ本体の反はさみ口側に延存している部分がそれぞれ相互に近づく方向に折り曲げられており、当該折り曲げられた箇所から先までの部分が、平行に又は収束されているダブルクリップ。
【請求項４】
前記一対の開閉レバーは、前記ダブルクリップ本体を横断面で見た場合の前記三角形状を画成する前記底面と、前記三角形状を画成する、前記底辺を除く他の二辺の各辺をそれぞれ含む側面と、の間の境目にあたる箇所に当接し、当該当接箇所で前記の如く折り曲げられており、
前記ダブルクリップ本体は、その前記境目箇所に、前記一対の開閉レバーの各開閉レバーの一部をそれぞれちょうど収める溝又は凹部が形成されている請求項３に記載のダブルクリップ。
【請求項５】
前記一対の開閉レバーは、その開閉にあたり、指を当接するための当接部を前記自由な他端の側に有し、この当接部は平面形状である請求項１〜４のいずれか一項に記載のダブルクリップ。
【請求項６】
前記当接部は、前記一対の開閉レバーに対して着脱自在に取り付けられる請求項５に記載のダブルクリップ。
【請求項７】
前記一対の開閉レバーのうちの少なくとも一の開閉レバーは磁石を有する請求項１〜６のいずれか一項に記載のダブルクリップ。
【請求項８】
開閉レバーを並列させ、当該レバーのうち指の指球に当たる箇所を指球形状に合わせて内側に湾曲された請求項１〜６のいずれか一項に記載のダブルクリップ。
【請求項９】
外力が加わると弾性により反発する材料からなりかつ三角形状の横断面を有し、その頂角にあたる側に紙葉類を挟むはさみ口が形成されているダブルクリップ本体と、このダブルクリップ本体の前記はさみ口側において一端が回転自在に支持されると共に他端が自由な形状とされ、反はさみ口側に前記他端が回転されて位置すると、その状態で他端側が反はさみ口側に延存しかつ前記はさみ口をてこの原理で開くための対向する一対の開閉レバーとを備えるダブルクリップの前記一対の開閉レバーに対して着脱自在に取着され、前記一対の開閉レバーに取着された状態でダブルクリップの使用時に指を当てる当接部として機能する指当てキャップ。
【発明の詳細な説明】
【技術分野】
【０００１】  書類等を綴じるダブルクリップに関する。
【背景技術】
【０００２】  図２１を参照して、従来のダブルクリップの説明をする。ダブルクリップは、外力が加わると弾性により反発する材料、例えば金属やプラスチックからできている。またダブルクリップは、紙やシートその他の紙葉類を挟むはさみ口を有するダブルクリップ本体と、前記はさみ口を″てこの原理″で開くための一対の開閉レバーとを備える。【０００３】  ダブルクリップ本体は、横断面が二頭辺三角形状でかつ両端が開口した中空の三角柱状をしている。そして、二等辺三角形状の横断面の頂点にあたる側に前記″はさみ口″を有する。はさみ口は、外力が加わらなければ、常に閉塞状態にある。【０００４】  一方、ダブルクリップ本体は、既述のようにその横断面が二等辺三角形状である。そして、前記一対の開閉レバーは、前記はさみ口側で一端が回転自在に支持され、他端が自由な状態で取り付けられている。このため、当該一対の開閉レバーは、前記はさみ口側に位置する一端を回転中心にして時計回りに又は反時計回りに回転する。なお、二等辺三角柱状をしたダブルクリップ本体のうち、前記頂点（頂角）に対向する辺である底辺を含む面のことを底面といい、前記底辺以外の二辺をそれぞれ含む各面を側面ということにする。【０００５】  そして、前記底面（底辺）の側に向けて当該一対の開閉レバーが、回転されて反はさみ口側（以下ダブルクリップの使用時における後方側）に位置すると、該一対の開閉レバーの各々は、それぞれ前記二等辺三角形の底面を除く他の二側面（二辺）に沿って配置され、後方に向け斜めに延在する。開閉レバーがこの状態にあるときを、開閉レバーが開かれた状態にあるという。【０００６】  また、一対の開閉レバーが前記とは反対に逆方向（はさみ口側）に回転され、各開閉レバーが相互に当接するまでそれぞれ回転された状態にあるときを、開閉レバーが閉じられた状態にあるという。閉じられた状態である方が開かれた状態にあるときよりもダブル全体の高さ方向の嵩は小さくなる。【０００７】  ところで、ダブルクリップ本体における紙葉類の挟み込み方向（ダブルクリップ本体の奥行き方向のこと）の寸法よりも、開閉レバーの寸法の方が長い。このため、開閉レバーが開かれた状態にあるとき、これら一対の開閉レバーは、ダブルクリップを横断面で見た状態で、それぞれ側面に沿って延び、かつ既述のように底面よりも後方に延在するようになる。【０００８】  換言すると、一対の開閉レバーは、ダブルクリップの二等辺三角形状の側面に沿って末広がりに延びる。したがって、当該開かれた状態において、開閉レバーは、自由端側に行くほどダブルクリップ本体から後方にはみ出し、かつ自由端同士の間隔が大きくなる。【０００９】  ダブルクリップで紙葉類を挟むにあたり、使用者が、前記開かれた状態の一対の開閉レバーを親指と人差し指とでつまみ、開閉レバーの自由端同士が接近するように両方の指に力を加えたとする。すると、てこの原理で、前記一対の開閉レバーのそれぞれにおける自由端部分が力点となり、前記はさみ口側に位置する部分が作用点となり、両点の間に位置しかつダブルクリップ本体に当接する部分が支点となる。【００１０】  そして、前記力点となる前記各自由端部分に相互に接近させる外力が、ダブルクリップ本体の前記底面に対し、開閉レバーの前記支点と当接する部位を通じて作用すると、当該底面を加圧により挟持した状態で押圧する。すると、その反力として前記ダブルクリップ本体には、前記紙葉類を挟む挟み力が、前記底面の弾性により生じるようになる。その結果、当該挟み力は、はさみ口を閉じて、紙葉類を綴じることができる。【００１１】  また、この挟み力に抗して前記外力を作用させることで、開閉レバーのうち、前記支点を支えに、前記はさみ口側に取り付けられている前記作用点となる部分が、相互に離れる方向に移動する。その結果、はさみ口が開いて、それまで綴じていた紙葉類を解放することができる。【００１２】  はさみ口を開いて、綴じていた紙葉類を解放するように外力が開閉レバーに加わるとき、ダブルクリップ本体の前記底面にあたる部分が、前記一対の開閉レバーで押圧され、当該押圧により、前記ダブルクリップ本体に前記紙葉類を挟む挟み力が、既述のごとく前記底面の弾性に起因する弾撥力により発生するので、挟み力を生じる底面は弾撥部といえる。【００１３】  なお、一方の開閉レバーを机等の平面箇所に接した状態でダブルクリップを置き、そのとき他方の開閉レバーが前記机と接している一方の開閉レバーに対して近づくように外力を加える場合も同様に作用する。
【特許文献１】特開２００４−０４２５８７号公報
【特許文献２】特開平０９−０８６０８６号公報
【特許文献３】登録実用新案第３１１９００６４号公報
【特許文献４】実開昭５５−５２８６号公報
【特許文献５】特開平０８−２５８６６号公報
【特許文献６】特開平０７−３２７８３号公報
【特許文献７】実願昭６１−７７５０８号公報
【特許文献８】本出願人による特願２００７−２２４８２５（本願出願時未公開）
【発明が解決しようとする課題】
【００１４】  ところで大きめのダブルクリップを使用する場合、一対の開閉レバーの自由端同士の間の間隔が、手の小さな人には大き過ぎて、前記外力を加えづらい傾向にある。
また、開閉レバーが開かれた状態にあると、当該開閉レバーは既述のように末広がり状に延びているため、ダブルクリップで紙葉類を挟んだ状態で紙葉類を捲ると、捲られた紙葉類は、開閉レバーの自由端部分に当たる。よって、捲られた紙葉類が、当該当接箇所で盛り上がる。このため、捲られた紙葉類は、弾力を有するようになる。この結果、捲られた紙葉類は、ちょっとした弾みで、捲られる前の状態に戻ってしまうことがあり得る。
【発明の開示】
【発明が解決しようとする課題】
【００１５】  そこで、ダブルクリップのはさみ口を開くことが容易にできること、ダブルクリップで挟んである紙葉類を捲ったときに、開閉レバーと紙葉類とが当たる箇所で紙葉類が盛り上がりにくくすることができることを課題とする。
【課題を解決するための手段】
【００１６】  提案するダブルクリップは、上記実情に鑑みて発明されたものである。すなわち、二辺とその挟角を含む横断面を有し、前記挟角の側に紙葉類を挟むはさみ口が形成されているダブルクリップ本体と、このダブルクリップ本体の反はさみ口側に延存しかつ前記はさみ口をてこの原理で開くための対向する一対の開閉レバーと、を備える。また、当該ダブルクリップは、前記一対の開閉レバーの一方を他方に対して近づけるように、または相互の開閉レバーを近づけるように外力が加えられると、前記てこの原理により前記はさみ口が開き、そのときに前記ダブルクリップ本体に前記紙葉類を挟む挟み力として弾撥力を生じる。そして、前記一対の開閉レバーの少なくとも一の開閉レバーは、ダブルクリップ本体の反はさみ口側に延存している部分が内側に折り曲げられ、当該折り曲げられた開閉レバーは、前記折り曲げられた箇所から先までの部分が、他の開閉レバーに対して平行に又は収束されている。【００１７】  このような構成であるから、当該ダブルクリップは、少なくともその一の開閉レバーが例えば″く″の字形に折り曲げられて近づくようになるため末広がりにならない。よって、紙葉類を挟んだ状態において紙葉類が捲られても、開閉レバーと紙葉類とが当たる箇所での盛り上がりがダブルクリップ本体の高さ寸法よりも大きくならないようにできる。【００１８】  よって、該ダブルクリップは、紙葉類を挟んだ状態で紙葉類が捲られたときにできる紙葉類の盛り上がりを抑制する。この結果、紙葉類は、これが捲られる前の状態へ勝手に戻ってしまうことが低減できる。【００１９】  また、一対の開閉レバーの少なくとも一の開閉レバーは、内側に折り曲げられ、当該折り曲げられた箇所から先までの部分が、相互に他の開閉レバーに対して平行に又は収束されている。よって、一対の開閉レバーは、その自由端同士の間の間隔が従来のダブルクリップに比べ小さい。このため、手の小さな子供や女性でも一対の開閉レバーに指が掛け易くなる。したがって、当該ダブルクリップに力を入れ易い。この結果、ダブルクリップを開き易くできる。【００２０】  さらに、開いた状態において開閉レバーが末広がりにならないので、開閉レバーを開いた状態のダブルクリップは小さくなる。このため、ダブルクリップを出荷するにあたり、ダブルクリップを箱詰めや袋詰めする場合において、嵩を小さくするために開閉レバーを閉じた状態にする作業を不要にできる。このため、その分の作業工程の短縮が可能である。【００２１】  さらにまた、一対の開閉レバーは、前記折り曲げられた箇所から先までの部分が、相互に他の開閉レバーに対して平行にされている場合においては、親指及び人差し指でそれぞれ、一対の開閉レバーをつまんだときに親指と人差し指とが平行になる。したがって、親指と人差し指とから一対の開閉レバーに掛かる力が分散されることなく、加えられた力がそのまま開閉レバーに掛かる。このため、力の弱い人でも無駄なくその人の指の力を有効利用できる。よって、はさみ口を開き易いダブルクリップといえる。
【発明の効果】
【００２２】  ダブルクリップで挟んである紙葉類が捲られたときに開閉レバーと紙葉類とが当たる箇所での盛り上がりを低減できる。このため、紙葉類の捲られた状態を安定して維持できる。
【発明を実施するための最良の形態】
【実施例１】
【００２３】  図１乃至４からわかるように、ダブルクリップ１は、紙葉類４（図３参照）を挟むはさみ口２ｍを有するダブルクリップ本体（以下クリップ本体）２と、はさみ口２ｍを″てこの原理″で開くための一対の開閉レバー３とを備える。クリップ本体２の外形状は、本実施形態の特徴部分を除き、背景技術で説明したものと同じである。【００２４】  クリップ本体２は、一対の開閉レバー３が開かれた状態で″てこ″として使用される場合において、その支点となる箇所に対応する部位に溝２１が形成されている。そして、溝２１に一対の開閉レバー３が、それぞれ部分的にちょうど収められるようになっている（図１参照）。クリップ本体２における溝２１の形成箇所を、一対の開閉レバー３が開かれたときに、開閉レバー３が、クリップ本体２に当接する箇所（当接箇所）という。【００２５】  また、一対の開閉レバー３は、支点となる箇所で先端（自由端）側が相互に近づく方向に折り曲げられている。詳しくは、一対の開閉レバー３が開かれた状態でかつクリップ本体２が紙葉類を挟んでいない状態で、一対の開閉レバー３は、支点よりも先までの部分が、クリップ本体２の高さ寸法と同じ高さで、かつ相互に他方の開閉レバー３に対して平行になるように内側に向けて屈曲されている。または、一対の開閉レバー３は、当該先までの部分が相互にその延長線上で交差する方向に曲折されて収束するように形成してもよい。要するに、開閉レバー３は、屈曲の程度の違いはあるもののその各々が、く″の字に曲折されている。【００２６】  したがって、ダブルクリップ１によれば、開閉レバー３が開かれた状態において、それらの自由端同士の間隔が、従来の末広がりのダブルクリップのそれに比して小さいといえる。このため、手の小さな人、例えば子供や女性でも、一対の開閉レバー３に指を掛け易い。したがって、ダブルクリップ１の開閉レバー３に力を加え易くできる。ダブルクリップ１が小さいため、ダブルクリップ１を出荷するにあたり、ダブルクリップ１を箱詰めや袋詰めにする際に、一対の開閉レバー３を閉じた状態にする必要が必ずしもない。このためそれだけ作業工程を低減することができる。【００２７】  また、一対の開閉レバー３が開かれた状態でかつ紙葉類４を挟んでいない状態にあるときに一対の開閉レバー３が平行であるため、ダブルクリップ１の使用者が、親指と人差し指とでそれぞれ一対の開閉レバー３をつまんだときに、親指と人差し指とが平行になる。その状態は、開閉レバー３を両指で保持する状態であり、当該保持状態では、開閉レバー３と両指とは接触率が従来よりも大幅に増加する（図２、図２０参照）。【００２８】  したがって、ダブルクリップ１のはさみ口２ｍを開こうとして親指と人差し指とに力を加え、それらの指を互いに近づけたとき、これらの指から開閉レバー３に加えられる力は、従来のダブルクリップに比べ分散される率が大幅に減少して、一対の開閉レバー３に加わる。よって、指の力の弱い人でも無駄なくその人の指の力を有効利用できる。このため、ダブルクリップを開き易い。したがって、ダブルクリップ１にあっては、そのはさみ口２ｍの開閉を容易に行える。【００２９】  さらに、一対の開閉レバー３は、溝２１に収められ���状態において、溝２１よりも先までの部分がクリップ本体２の高さ寸法と同じ高さで平行になるようになっている。または既述のように、一対の開閉レバー３が収束するように形成されている。よって、ダブルクリップ１は、当該ダブルクリップ１で紙葉類４を挟んだ状態において紙葉類４が捲られると、開閉レバー３と紙葉類４とが当たる箇所での盛り上がりが、クリップ本体２の高さ寸法以上になることを抑制する。この結果、捲られた紙葉類４が、ちょっとした弾みで、捲られる前の状態に戻ってしまいにくくなる。したがって、紙葉類４は、その捲られた状態を安定的に維持できる。【００３０】  さらにまた、一対の開閉レバー３は、これが開かれた状態にあるとき、前記二等辺三角形状をした横断面の底辺（図では符号２２で示す。）と他の二辺（図では符号２３で示す。）の各辺との間の境目となる箇所である境目箇所２２３に当接する。そして、当該境目箇所２２３には、一対の開閉レバー３の各開閉レバーの支点３０をそれぞれちょうど収める（支点を含むその前後の部分を収めてもよい。）前記溝２１が形成されている。当該溝２１に開閉レバー３がその直径分ちょうど収まる。なお、底辺２２を含む面のことを底面といい、符号２２１で示す。また底辺以外の他の二辺２３の各辺をそれぞれ含む面のことを側面といい、符号２３１で示す。【００３１】  よって、開閉レバーが開かれている場合、クリップ本体２の底面２２１からは、開閉レバー３の直径分さえ突出しない（図では図面に正対して底面２２１から上下方向に突出していない）。このため、ダブルクリップ１で紙葉類４を挟んだ状態で、これらを例えば机上に置いて、ダブルクリップ１で挟んである紙葉類４を捲っても、捲られた紙葉類４と開閉レバー３とが当たる箇所での紙葉類４の盛り上がりを低減する。この結果、紙葉類４は、その捲られた状態が安定的に維持される。【００３２】  さらにダブルクリップ１にあっては、これを使用して紙葉類４を綴じた状態で、これを机等の上に置くと、一対の開閉レバー３のうちの一方（図２では下方の側）の側が、机上等の接地面Ｇに向けられる（図２参照）。開閉レバー３は、″く″の字に曲折されているので、接地面Ｇとの間に隙間Ｓができる。当該隙間Ｓの存在により、隙間Ｓに指を入れ易い。このため、開閉レバー３を親指と人差し指で挟むにあたり、ダブルクリップ１をそのためにわざわざ持ち上げる必要がない。よって、操作性に優れている。【００３３】  なお、ダブルクリップ１３の開閉レバー３が閉じられているときは、図４のように開閉レバー３の支点部分で開閉レバー３同士が開いて（離れて）おり、開き隙間Ｓ１を画成する。よって、当該開き隙間Ｓ１に指を入れ易い。このため、開閉レバー３を開いた状態にするにあたり、開閉レバー３を開き易くできる。
【実施例２】
【００３４】  また、図５乃至７からわかるように、実施例２のダブルクリップ１２にあっては、溝２１がない。この実施例２にあっては、前記一対の開閉レバー３は、これがてことして使用される場合、前記底辺２２となる部分の側縁上（前記境目箇所２２３）で当接する。当該当接箇所に対応する開閉レバー３の箇所が、てことして使用された場合の支点３０となる。該支点３０において、一対の開閉レバー３は、それぞれ相互に近づく方向に折り曲げられている。また、前記支点３０から先（自由端）までの部分が、クリップ本体２の高さ寸法と同じ寸法の間隔で、平行に又は収束するように延ばされている。【００３５】  実施例２の場合も実施例１と同じように、ダブルクリップ１２の使用者の力の有効利用ができる。よって、小さな力の人でもダブルクリップ１２で紙葉類４を挟み易くできる。また、ダブルクリップ１で挟んである紙葉類４が捲られたときに、開閉レバー３と紙葉類４とが当たる箇所での盛り上がりを低減できる。このため、紙葉類４の捲られた状態を安定的に維持できる。
【実施例３】
【００３６】  また、図８及び９からわかるように、実施例３のダブルクリップ１３が実施例１及び２の各ダブルクリップ１及び１２と相違する点は、二辺２３のうちの一方の辺２３（図面では上側の辺）の延長線上にそれに沿って一方の開閉レバー３１が延びていること、他方の開閉レバー３２が屈曲されているものの、支点３０よりも先の部分が、一方の開閉レバー３１と平行であるということである。よって、同一箇所には、同一符号を付して説明は省略する。
なお、以下、一方の開閉レバー３１と他方の開閉レバー３２とを総称して符号３で示す場合がある。【００３７】  実施例３のダブルクリップ１３にあっては、他方の開閉レバー３２の側を接地面Ｇに向けて使用する。【００３８】  他方の開閉レバー３２は、″く″の字に曲折されているので、接地面Ｇとの間に開いた隙間Ｓができる。当該隙間Ｓの存在により、隙間Ｓに指を入れ易い。このため、開閉レバー３１、３２を親指と人差し指でつまむにあたり、ダブルクリップ１をわざわざ持ち上げる必要がない。よって実施例１、２と同様、操作性に優れているといえる。
【実施例４】
【００３９】  実施例４として、図１１〜１３に示すようなキャップＣの取着されるダブルクリップ１４を提案する。すなわち、キャップＣは、ダブルクリップ１４の前記一対の開閉レバー３に対して着脱自在に外嵌される。そして、前記一対の開閉レバー３に取着された状態で、ダブルクリップ１４の使用時に指を当てる当接部として機能する。また、キャップＣは、平面形状を呈する。
【実施例５】
【００４０】  また、図１４乃び１５からわかるように、実施例５のダブルクリップ１５が、実施例１〜４のダブルクリップ１、１２〜１４と相違する点は、一対の開閉レバー及び他方の開閉レバーが、実施例１〜４のクリップ本体の一部として一体形成されていること、クリップ本体が二分割されていること、二分割されたクリップ本体が回動軸により連結されて回動すること、スプリングによってはさみ口を閉じるようにされていることである。よって、実施例１〜４と同一箇所には、同一符号を付して説明は省略する。【００４１】  ダブルクリップ１５は、そのクリップ本体２５が既述のように二分割され、分割部２５１と２５２とからなる。両者は同一形体である。
分割部２５１、２５２は、その全体形状が平面で見てＴ字形をしている。そして、その側縁には、図１４、１５に示すように、分割部２５１、２５２の縦（長手）方向における略中央部に前記回動軸を支持する一対の支持腕３５が垂下した状態で形成されている。なお、回動軸を符号４５で示す。回動軸４５は、分割部２５１、２５２の両支持腕３５のほぼ中央を貫通する。【００４２】  それ故、支持腕３５には、回動軸４５を通す通し孔３５１が同一軸線上に形成されており、回動軸４５は、この通し孔３５１に挿通された後、回動軸４５の通し孔３５１からの抜けが防止する加工が施されている。また、回動軸４５には、前記スプリングであるねじりコイルバネ５５が外嵌されている（図１５参照）。ねじりコイルバネ５５は、その両端５５１がダブルクリップ１５の縦（長手）方向に直線的に延びており、分割部２５１と２５２のうちダブルクリップ１５の使用時に指を当てる当接部６５の内面６５１（図１５参照）に当接している。【００４３】  ねじりコイルバネ５５は、クリップ本体２５に対し、クリップ本体２５のはさみ口２ｍが開かれたときに、ダブルクリップ２５に紙葉類４を挟む挟み力としての弾撥力を生じる弾撥部として機能する。【００４４】  また、回動軸４５を支点として、分割部２５１と２５２は、てこの原理で回動する。そして、分割部２５１と２５２とが相互に離れる方向に回動したとき、すなわちはさみ口２ｍを開いたときに、紙葉類４を挟む挟み力として、ねじりコイルバネ５５に前記弾撥力を生じる。【００４５】  さらに、分割部２５１と２５２は、それらの前記当接部６５が、内側に折り曲げられ、かつ平行又は収束するように延ばされて、開閉レバーとして機能するようになっている。なお、実施例では平行にしたものを示す（当接部６５が、力点として機能する。）。このため、手の小さな人、例えば子供や女性でも当接部６５に指が掛かり易い。したがって、ダブルクリップ１５の開閉レバーに力を加え易くできる。【００４６】  さらにまた、当接部６５が前記平行な場合、ダブルクリップ１５の使用者が、親指と人差し指とでそれぞれの当接部６５をつまんだときに、親指と人差し指とは平行になる。その状態で当接部６５（開閉レバー）を両指で保持する。したがって、当該保持した状態で、ダブルクリップ１のはさみ口２ｍを開こうとして親指と人差し指とに力を加え、それらの指を互いに近づけたとき、これらの指からの力は、分散されることなく当接部６５に加わる。よって、指の力の弱い人でも無駄なくその人の指の力を有効利用できる。したがって、ダブルクリップ１５を開き易い。すなわち、ダブルクリップ１５にあっては、そのはさみ口２ｍの開閉を容易に行える。なお、当接部６５が、力点として機能するのに対し、分割部２５１と２５２は、作用点として機能する。
【実施例６】
【００４７】  また、実施例６のダブルクリップ１６が実施例５のダブルクリップ１５と相違する点は、図１６、１７からわかるように、実施例３のダブルクリップ１３に類似しているという点である。すなわち、一方の分割部２６１がまっすぐ延びていること、他方の分割部２６２が″く″の字に屈曲され、その先端部２６２ａが、一方の分割部２６１の先端部と平行であるということである。【００４８】  そして、実施例６のダブルクリップ１６にあっても、他方の分割部２６２が接地面Ｇに向けられて使用される。【００４９】  他方の分割部２６２は、″く″の字に曲折されているので、その前記先端部２６２ａと接地面Ｇとの間に開き隙間Ｓができる。当該隙間Ｓの存在により、隙間Ｓに指を入れ易い。このため、ダブルクリップ１６を親指と人差し指で挟むにあたり、使用者は、ダブルクリップ１６をわざわざ持ち上げる必要がない。よって実施例３と同様、操作性に優れているといえる。
【実施例７】  また、実施例７のダブルクリップ１７が実施例６のダブルクリップ１６と相違する点は、図１８、１９からわかるように、一方の分割部２７１がまっすぐ延びていること、他方の分割部２７２が″く″の字に屈曲され、その先端部２７２ａが、一方の分割部２７１と平行であるということである。【００５０】  実施例７のダブルクリップ１７にあっては、一方の分割部２７１がまっすぐ延びていること、他方の分割部２７２が″く″の字に屈曲され、その先端部２７２ａが、一方の分割部２７１と平行であることにより、一方及び他方の分割部２７１、２７２の自由端同士の間隔が小さいといえる。このため、手の小さな人でも、指を掛け易い等実施例１と同様の効果を奏する。【００５１】  なお、上記の実施の形態は例示にすぎない。よって、明細書の内容に本発明が限定されるものではない。例えば、クリップ本体に形成され開閉レバー３が入る溝２１の代わりに同様の機能を有する凹部にしたものでもよい。また、接地側に位置する分割部に磁石を取着したものでもよい。磁石により、鋼製の机や壁にダブルクリップを取り付けることができる。【００５２】  さらに、図２０の応用例に示すように、一対の開閉レバー３を並列させ、当該レバーのうち指の指球に当たる箇所を指球形状に合わせて湾曲させてもよい。このようにすることで開閉レバー３と指球とが一層密着するようになり、力の分散が抑制される。
【図面の簡単な説明】
【００５３】
【図１】本発明に係る実施例１のダブルクリップの全体斜視図であって開閉レバーを開いている状態を示す図である。
【図２】図２の側面図である。
【図３】図２において紙葉類が綴じられている状態を示す図である。
【図４】本発明に係る実施例１のダブルクリップであって開閉レバーを閉じている状態を示す全体斜視図（ａ）と、その側面図（ｂ）とを併せて示す図である。
【図５】本発明に係る実施例２のダブルクリップの全体斜視図である。
【図６】図５の側面図である。
【図７】図６において紙葉類が綴じられている状態を示す図である。
【図８】本発明に係る実施例３のダブルクリップの全体斜視図である。
【図９】図８の側面図である。
【図１０】本発明に係る実施例４のダブルクリップを示し、実施例２のダブルクリップの開閉レバーにキャップが取着されるダブルクリップを示す図である。
【図１１】図１０においてキャップが取着された状態を示す側面図である。
【図１２】キャップの拡大斜視図であり、方向を変えて示す状態を併せて示す図である。
【図１３】図１１における要部の側面図と断面図の両方を併せて示す図である。
【図１４】本発明に係る実施例５のダブルクリップを示す全体斜視図である。
【図１５】図１４を反対方向から見た図である。
【図１６】本発明に係る実施例６のダブルクリップを示す全体斜視図である。
【図１７】図１６の側面図である。
【図１８】本発明に係る実施例７のダブルクリップを示す全体斜視図である。
【図１９】図１８の側面図である。
【図２０】応用例を示す本発明に係るダブルクリップの説明図である。
【図２１】従来のダブルクリップの側面図である。
【符号の説明】
【００５４】１、１２〜１７  ダブルクリップ
２  ダブルクリップ本体
２ｍ  はさみ口
３  一対の開閉レバー
４  紙葉類
２１  溝（当接箇所）
２２  底辺
２３  底辺以外の辺（二辺）
２３ａ  二辺のうちの一方の辺
２５  クリップ本体
３０  開閉レバーの一部（支点）
３１  実施例３に係る一方の開閉レバー
３２  実施例３に係る他方の開閉レバー
３５  支持腕
４５  回動軸（支点）
５５  ねじりコイルバネ（弾撥部）
６５  当接部
２２１  底面（弾撥部）
２２３  境目箇所
２３１  側面
２５１、２５２  分割部
２６１、２６２  分割部
２６２ａ  先端部
２７１、２７２  分割部
２７２ａ  先端部
３５１  支持腕の通し孔
５５１  コイルバネの両端
６５１  分割部の内面
Ｃ  キャップ
Ｇ  接地面
Ｓ  開閉レバーと接地面との間にできる隙間
Ｓ１  開閉レバーを閉じたときに開閉レバー同士の間にできる隙間
【図１】
2010100026.tif 000003
【図２】
2010100026.tif 000004
【図３】
2010100026.tif 000005
【図４】
2010100026.tif 000006
【図５】
2010100026.tif 000007
【図６】
2010100026.tif 000008
【図７】
2010100026.tif 000009
【図８】
2010100026.tif 000010
【図９】
2010100026.tif 000011
【図１０】
2010100026.tif 000012
【図１１】
2010100026.tif 000013
【図１２】
2010100026.tif 000014
【図１３】
2010100026.tif 000015
【図１４】
2010100026.tif 000016
【図１５】
2010100026.tif 000017
【図１６】
2010100026.tif 000018
【図１７】
2010100026.tif 000019
【図１８】
2010100026.tif 000020
【図１９】
2010100026.tif 000021
【図２０】
2010100026.tif 000022
【図２１】
2010100026.tif 000023